(57)【特許請求の範囲】
【請求項１】
建物の略長方形の開口部に設けられる面格子構造であって、
間隔を置いて略平行に配列された縦格子と、
前記縦格子の前記建物の内部側の上部及び下部に、前記縦格子と略直交する方向に向けて固定された上横格子及び下横格子と、
前記開口部の側面間に、前記上横格子及び下横格子の位置にそれぞれ合わせて架け渡された上横桟及び下横桟と、
前記上横格子と前記上横桟とを連結させた落下防止金具とを備え、
前記上横格子及び下横格子は、前記上横桟及び下横桟にそれぞれ嵌合されているとともに、
前記落下防止金具は、前記建物の内部側に露出する位置に固定部が設けられていることを特徴とする面格子構造。
【請求項２】
前記開口部の側面の少なくとも一方は、柱材であることを特徴とする請求項１に記載の面格子構造。
【請求項３】
前記上横格子を前記上横桟に嵌合させた断面は、略長方形に形成されるとともに、前記落下防止金具は略平行な一対の垂下面とそれらの上縁間を繋ぐ水平面とによって形成されており、
前記落下防止金具の一対の垂下面は、前記上横格子と前記上横桟の側面にそれぞれ面接触されていることを特徴とする請求項１又は２に記載の面格子構造。
【請求項４】
前記上横格子は、長手方向に複数の部材が突き合わされて構成されており、前記落下防止金具は前記上横格子の突き合わせ部の上側を覆うように配置されていることを特徴とする請求項１乃至３のいずれか一項に記載の面格子構造。
【請求項５】
前記上横桟及び下横桟は、前記開口部の側面に固定された取付金具に端部が固定されていることを特徴とする請求項１乃至４のいずれか一項に記載の面格子構造。
【請求項６】
請求項１乃至５のいずれか一項に記載の面格子構造が開口部に設けられたことを特徴とするインナーバルコニー。
【発明の詳細な説明】
【技術分野】
【０００１】
本発明は、建物の略長方形の開口部に設けられる面格子構造、及びそれを備えたインナーバルコニーに関するものである。
【背景技術】
【０００２】
特許文献１−３に開示されているように、窓開口部を格子で塞ぐ構造が知られている。例えば特許文献１に開示された格子は、柱と鴨居と敷居とによって囲まれた略長方形の窓開口部に、縦桟と横桟とによって形成される格子を嵌め込む構造となっている。詳細には、格子の上下に配置される横桟の両端部が、柱の側面に固定された受け金具にそれぞれ取り付けられる構造となっている。
【０００３】
また、特許文献２に開示された面格子は、窓サッシの屋外側の面に設けられた吊掛溝と受台に上縁と下縁が固定される構造となっている。さらに、特許文献３の面格子も、窓枠の屋外側に固定された取付桟に、面格子の格子横桟を取り付ける構造となっている。
【０００４】
一方、特許文献４には、窓開口よりも大きな面格子で広く窓を覆うことで、外壁との関連性を高め、面格子を含む外壁の全体的な外観意匠を向上させた面格子構造が開示されている。
【先行技術文献】
【特許文献】
【０００５】
【特許文献１】実開昭５５−１０１２９４号公報
【特許文献２】実開平６−１４３９６号公報
【特許文献３】実開昭５８−１７１４９３号公報
【特許文献４】特開２０１４−６６０２４号公報
【発明の概要】
【発明が解決しようとする課題】
【０００６】
しかしながら、面格子を直接、開口部に嵌め込む構造では、面格子と開口部の形状を正確に一致させなければならない。また、面格子を直接、開口部に嵌め込むと、開口部が変形した際の荷重がそのまま伝達され、面格子が変形したり破損したりしやすくなる。
【０００７】
他方、面格子の取り付け位置が屋外側になる場合、建物の内部側から固定状況を確認することが難しくなる。面格子が建物より外側に飛び出している場合は、確実に固定されている必要がある。
【０００８】
そこで、本発明は、取り付けが容易なうえに建物の内部側から固定状況を確認することが可能な面格子構造、及びそれを備えたインナーバルコニーを提供することを目的としている。
【課題を解決するための手段】
【０００９】
前記目的を達成するために、本発明の面格子構造は、建物の略長方形の開口部に設けられる面格子構造であって、間隔を置いて略平行に配列された縦格子と、前記縦格子の前記建物の内部側の上部及び下部に、前記縦格子と略直交する方向に向けて固定された上横格子及び下横格子と、前記開口部の側面間に、前記上横格子及び下横格子の位置にそれぞれ合わせて架け渡された上横桟及び下横桟と、前記上横格子と前記上横桟とを連結させた落下防止金具とを備え、前記上横格子及び下横格子は、前記上横桟及び下横桟にそれぞれ嵌合されているとともに、前記落下防止金具は、前記建物の内部側に露出する位置に固定部が設けられていることを特徴とする。
【００１０】
ここで、前記開口部の側面の少なくとも一方は、柱材である構成とすることができる。また、前記上横格子を前記上横桟に嵌合させた断面は、略長方形に形成されるとともに、前記落下防止金具は略平行な一対の垂下面とそれらの上縁間を繋ぐ水平面とによって形成されており、前記落下防止金具の一対の垂下面は、前記上横格子と前記上横桟の側面にそれぞれ面接触されている構成とすることができる。
【００１１】
さらに、前記上横格子は、長手方向に複数の部材が突き合わされて構成されており、前記落下防止金具は前記上横格子の突き合わせ部の上側を覆うように配置されている構成とすることができる。また、前記上横桟及び下横桟は、前記開口部の側面に固定された取付金具に端部が固定されている構成とすることができる。
【００１２】
また、インナーバルコニーの発明は、上記いずれかに記載の面格子構造が開口部に設けられたことを特徴とする。
【発明の効果】
【００１３】
このように構成された本発明の面格子構造は、建物の開口部の側面間に架け渡された上横桟及び下横桟に、面格子の上横格子及び下横格子をそれぞれ嵌合させる。
【００１４】
このため、面格子の形状と開口部の形状とを正確に一致させる必要がなく、取り付けを容易に行うことができる。また、開口部が変形しても、直接、面格子に荷重が伝達されないので、変形や破損などを防ぐことができる。
【００１５】
さらに、上横格子と上横桟とを連結させる落下防止金具の固定部が、建物の内部側に露出する位置に設けられている。このため、建物の内部側から固定状況を確認することができる。
【００１６】
また、上横格子を上横桟に嵌合させた断面が略長方形に形成され、略コ字形の落下防止金具をメタルタッチのように面接触させる構成であれば、拘束力が強く、確実に面格子の落下を防ぐことができる。
【００１７】
さらに、上横格子が複数の部材が突き合わされた構成となっていて、落下防止金具によって上横格子の突き合わせ部の上側を覆う構造であれば、継目を補強することができる。
【００１８】
また、上横桟及び下横桟が開口部の側面に固定された取付金具に端部を固定させる構造であれば、上横桟及び下横桟を容易に開口部に架け渡すことができる。
【図面の簡単な説明】
【００１９】
【図１】本実施の形態の面格子構造の構成を説明する分解斜視図である。
【図２】インナーバルコニーが設けられた住宅の構成を模式的に示した説明図である。
【図３】インナーバルコニーを有するバルコニーユニットの構成を説明する斜視図である。
【図４】面格子構造の構成を説明する平面図である。
【図５】面格子の上横格子を上横桟に取り付ける工程を示した説明図である。
【図６】面格子が上横桟に固定された状態を示した説明図である。
【図７】落下防止金具を取り付ける工程を説明する斜視図である。
【図８】落下防止金具を固定する工程を示した説明図である。
【図９】落下防止金具が継目に配置された状態を示した平面図である。
【図１０】落下防止金具が配置された状態を示した断面図である。
【発明を実施するための形態】
【００２０】
以下、本発明の実施の形態について図面を参照して説明する。図１は、本実施の形態の面格子構造２の分解斜視図であり、図２，３は、その面格子構造２が設けられる建物１及びバルコニーユニット１５の概略構成を説明する図である。
【００２１】
本実施の形態の面格子構造２は、住宅などの建物１の略長方形の開口部１１に設けられる。以下では、建物１のインナーバルコニー１５１の開口部１１を面格子構造２によって塞ぐ場合を例に説明する。
【００２２】
図３に示すようなバルコニーユニット１５は、ユニット建物の一部として配置される。ここで、ユニット建物とは、工場で製作される複数の建物ユニット及びバルコニーユニット１５を建築現場に搬送し、基礎スラブなどの基礎面の上に横方向に並べて１階部を構築するとともに、それらの（下階）建物ユニットの上に別の（上階）建物ユニットとバルコニーユニット１５を積み上げることで上層階を構築していく。
【００２３】
建物ユニット及びバルコニーユニット１５は、図１に示すように、梁材（１３，１４）と柱材（１２）とによって骨組みが形成される。例えば、四隅に配置される柱材としての柱１２，・・・と、その柱１２，・・・の下端間に差し渡される梁材としての床梁１４，・・・と、柱１２，・・・の上端間に架け渡される梁材としての天井梁１３，・・・とによってボックス形の骨組構造体に形成される。
【００２４】
一方、バルコニーユニット１５は、図２に示すように、建物１の上階において、建物本体部１６に隣接して配置される。例えば図３に示したバルコニーユニット１５は、屋根を有するインナーバルコニー１５１を備えており、その２面は、屋外に通じる開口部１１，１５３となっている。
【００２５】
そして、インナーバルコニー１５１の一方の開口部１５３には、腰高の手摺部１５２が設けられる。そして、もう一方の開口部１１が面格子構造２によって塞がれる。
【００２６】
本実施の形態の面格子構造２は、図１に示すように、面格子３と、開口部１１の側面間に架け渡される上横桟４１及び下横桟４２と、上横桟４１に面格子３を連結させる落下防止金具５とによって主に構成される。
【００２７】
面格子３は、鉛直方向に向けて延伸されるとともに水平方向に間隔を置いて略平行に配列された複数の縦格子３１，・・・と、縦格子３１と略直交する方向に向けて固定された上横格子３２及び下横格子３３とによって主に構成される。
【００２８】
上横格子３２は、縦格子３１の開口部１１側（インナーバルコニー１５１側）の面の上部にリベット３２４によって固定され、下横格子３３は、縦格子３１の開口部１１側の面の下部にリベット３２４によって固定される。
【００２９】
また、縦格子３１の上端は、上横格子３２の上縁よりも上方に突出された高さに位置するとともに、縦格子３１の下端は、下横格子３３の下縁よりも下方に突出される。
【００３０】
図４，５に示すように、縦格子３１は、断面略長方形の筒状の管材によって形成されており、上端は蓋部３１１によって塞がれている。一方、上横格子３２は、図５に示すように、断面視略逆Ｌ字形に形成される。なお、下横格子３３の構成は、上横格子３２と同様であるため詳細な説明は省略する。
【００３１】
上横格子３２は、上縁が庇状に張り出されて先端に上爪部３２１が形成されるとともに、中間部には下爪部３２２が張り出される。また、下縁には、凸条の下縁部３２３が設けられる。
【００３２】
面格子３が配置されるインナーバルコニー１５１の開口部１１は、図１に示すように、柱１２，１２の面によって側面が形成される。そして、柱１２，１２間には、面格子３の上横格子３２及び下横格子３３の位置にそれぞれ合わせて、上横桟４１及び下横桟４２が取り付けられる。
【００３３】
ここで、上横桟４１の端部は、Ｌ形の取付金具４３を介して柱１２に固定される。図４，５に示すように、取付金具４３は、一片が柱１２の外周を覆う化粧材１２１の側面１２２に接触されて、タッピンネジ４３１，４３１によって柱１２の本体に接合される。
【００３４】
また、取付金具４３の他片は、上横桟４１にボルト４３２によって固定される。ここで、上横桟４１は、断面視略長方形の胴体部４１１と、面格子３側に設けられる受け部４１２とによって主に構成される。
【００３５】
受け部４１２には、階段状に張り出される上支持部４１２ａと、面格子３側に張り出された縁部が壁状に形成される下支持部４１２ｂとが形成される。この受け部４１２は、リベット４１３によって胴体部４１１に接合される。
【００３６】
この受け部４１２は、図５に示すように、開口部１１から屋外側に張り出された位置に配置される。そして、この受け部４１２に、面格子３の上横格子３２が上方から引っ掛けられる。
【００３７】
このため、面格子３の縦格子３１，・・・は、図４に示すように、開口部１１から屋外に張り出された位置に配置される。さらには、図３に示すように、開口部１１の縁部は、面格子３に覆われて隠れた状態になる。
【００３８】
すなわち図１及び図４に示すように、上横桟４１の胴体部４１１は、柱１２，１２間の間隔とほぼ同じ長さに形成されるが、受け部４１２は、両方の端部４１２ｃ，４１２ｃが柱１２，１２の正面側（屋外側の側面）に張り出される長さに形成される。
【００３９】
一方、下横桟４２は、腰高の手摺（図３の手摺部１５２参照）を固定するために柱１２，１２間に取り付けられている胴縁部４２１と、面格子３側に設けられる受け部４２２とによって主に構成される。
【００４０】
受け部４２２は、面格子３側の部分が上横桟４１の受け部４１２と類似する構成であり、階段状に張り出される上支持部（図示省略）と、張り出された縁部が壁状に形成される下支持部（図示省略）とを有している。
【００４１】
また、胴縁部４２１の端部は、柱１２に直接、固定されている。すなわち、柱１２，１２間に胴縁部４２１が架け渡されており、その胴縁部４２１の正面に受け部４２２が取り付けられる。
【００４２】
面格子３は、図６及び図９に示すように、縦格子３１，３１間に露出する上横格子３２（及び下横格子３３）の下部にねじ込まれるドリルネジ３４によって、上横桟４１（及び下横桟４２）に接合される。
【００４３】
詳細には、図６に示すように、上横格子３２の側面３２ａに屋外側からインナーバルコニー１５１側に向けてねじ込まれたドリルネジ３４は、先端が上横桟４１の受け部４１２の下支持部４１２ｂを貫通して固定される。
【００４４】
図５，６に示すように、上横格子３２の上爪部３２１は受け部４１２の上支持部４１２ａの上面に載せられ、上横格子３２の下爪部３２２は受け部４１２の下支持部４１２ｂの先端に載せられる。
【００４５】
また、上横格子３２の下縁部３２３は、受け部４１２の下支持部４１２ｂの下部側面に接触される。このため、ドリルネジ３４を締め付けても、面格子３を傾けさせることなく鉛直に取り付けることができる。
【００４６】
このようにして上横桟４１に上横格子３２を嵌合させて一体化させると、略長方形の断面が形成される。すなわち、略水平な上面４１ａと、それに対して略直交する面格子３側の側面３２ａ及びインナーバルコニー１５１側の側面４１１ａが形成される。
【００４７】
それに対して、図７に示すような略コ字形の落下防止金具５を上から嵌めて、上横格子３２と上横桟４１とを連結させる。詳細には落下防止金具５は、略平行な一対の垂下面５ｂ，５ｃと、それらの上縁間を繋ぐ水平面５ａとによって形成される。
【００４８】
水平面５ａの長さは、上横桟４１に上横格子３２を嵌合させたときの幅とほぼ同じで、垂下面５ｂ，５ｃは水平面５ａに対して略直交される。また、上横桟４１側の垂下面５ｂには、ネジ穴５ｄが穿孔される。
【００４９】
図８に示すように、落下防止金具５の垂下面５ｂは、上横桟４１の側面４１１ａに対してメタルタッチ（面接触）となる。また、落下防止金具５の垂下面５ｃは、上横格子３２の側面３２ａに対してメタルタッチ（面接触）となる。
【００５０】
ここで、１つの開口部１１を覆う場合に、通常は、図４，９に示すように、複数の面格子３，３の部材が使用される。隣接する面格子３，３の部材間では、それぞれの上横格子３２，３２の部材の長手方向の端部が突き合わされた状態になり、突き合わせ部３２０が生じることになる。
【００５１】
落下防止金具５は、この突き合わせ部３２０の上面及び側面を覆うように取り付けられる。すなわち、突き合わせ部３２０を挟んだ隣接する縦格子３１，３１間に、落下防止金具５が取り付けられる。
【００５２】
落下防止金具５は、図７，８，１０に示すように、インナーバルコニー１５１側の垂下面５ｂのネジ穴５ｄに、固定部としてドリルネジ５１をねじ込むことによって上横桟４１に固定される。この固定部となるドリルネジ５１のネジ頭は、インナーバルコニー１５１側に露出している。
【００５３】
次に、本実施の形態の面格子構造２の構築方法、及びその作用について説明する。
【００５４】
まず、図１に示すように、開口部１１の柱１２，１２の側面間に水平に架け渡された胴縁部４２１に対して、屋外側からインナーバルコニー１５１側に向けて受け部４２２を胴縁部４２１の側面に接触させ、ドリルネジによって胴縁部４２１に受け部４２２を接合させる。
【００５５】
一方、上横桟４１は、リベット４１３によって胴体部４１１と受け部４１２とが予め接合されており、取付金具４３，４３を介して胴体部４１１の両端が柱１２，１２の側面に固定され、水平に架け渡されることになる。
【００５６】
一方、面格子３は、工場において縦格子３１，・・・に上横格子３２及び下横格子３３が接合された状態に製作されている。ここで、上横桟４１と下横桟４２との間隔は、面格子３の上横格子３２と下横格子３３との間隔に合わせて設定されている。
【００５７】
そこで、屋外側からインナーバルコニー１５１側に向けて面格子３を近付け、図５に示すように、上横格子３２が上横桟４１の受け部４１２の上方に来るように位置合わせをする。
【００５８】
この位置関係で面格子３を下方に降ろすと、受け部４１２の下支持部４１２ｂの先端に上横格子３２の下爪部３２２が引っ掛かるとともに、受け部４１２の上支持部４１２ａの上面に上横格子３２の上爪部３２１が引っ掛かって両者が嵌合される。
【００５９】
同時に下横桟４２に対しても、面格子３の下横格子３３が嵌合される。そこで、図６に示すように、屋外側から縦格子３１，３１間に露出された上横格子３２及び下横格子３３に向けてドリルネジ３４をねじ込み、面格子３を上横桟４１及び下横桟４２に固定する。
【００６０】
さらに、図９に示すように上横格子３２，３２間の突き合わせ部３２０に対しては、図７に示すように落下防止金具５を上方から降ろして嵌める。落下防止金具５の固定は、図８に示すように、インナーバルコニー１５１側からドリルネジ５１をねじ込むことによって行う。
【００６１】
このようにして構築された本実施の形態の面格子構造２は、建物１の開口部１１の側面を形成する柱１２，１２間に架け渡された上横桟４１及び下横桟４２に、面格子３の上横格子３２及び下横格子３３をそれぞれ嵌合させる。
【００６２】
このため、面格子３の形状と開口部１１の形状とを正確に一致させる必要がなく、取り付けを容易に行うことができる。すなわち、面格子３の上横格子３２及び下横格子３３を直接、柱１２，１２間に架け渡すためには、柱１２，１２間の間隔と上横格子３２及び下横格子３３の長さが正確に一致している必要がある。仮に、一致しない場合は、上横格子３２及び下横格子３３の長さを調整することになるが、その調整は面格子３全体に影響し、容易に取り付けることができなくなる。
【００６３】
また、柱１２を介して地震荷重や風荷重が伝達された場合、本実施の形態の面格子構造２であれば、上横桟４１及び下横桟４２が荷重を受けることになって、面格子３への荷重の伝達が抑えられて変形や破損などを防ぐことができる。
【００６４】
面格子３は、美観や軽量化のためにアルミなどの軽量な材料で形成されることが多いが、上横桟４１及び下横桟４２は、作用する荷重の大きさに合わせて自由に選択することができる。
【００６５】
また、上横格子３２と上横桟４１とを挟持させる落下防止金具５のドリルネジ５１が、インナーバルコニー１５１側に露出する位置にねじ込まれる構成となっている。
【００６６】
このため、インナーバルコニー１５１から固定状況を、いつでも確認することができる。すなわち、建物の外側に足場を組まなければ確認できないような位置に固定部が存在すると、施工ミスや経年劣化などによって固定されていない状態となっていても、住人は気づくことができない。
【００６７】
これに対してインナーバルコニー１５１から固定状況が確認できれば、足場解体後や居住開始後でも固定状況を容易に確認することができる。また、落下防止金具５のドリルネジ５１に経年劣化などが生じた場合にも、住人はすぐに気が付くことができる。
【００６８】
さらに、上横格子３２を上横桟４１に嵌合させた断面が略長方形に形成され、略コ字形の落下防止金具５をメタルタッチのように面接触させる構成であれば、拘束力が強く、確実に面格子３の落下を防ぐことができる。
【００６９】
例えば、面格子３の上横格子３２を上横桟４１の受け部４１２に引っ掛けただけでドリルネジ３４による接合が失念された場合や経年劣化等でドリルネジ３４が外れた場合に、落下防止金具５による拘束が無ければ、インナーバルコニー１５１側からの荷重の作用によって面格子３が持ち上がって外れるおそれがある。
【００７０】
これに対して、落下防止金具５によって上横格子３２と上横桟４１とが連結されて一体化されていれば、上横格子３２のずれが起き難く、面格子３の落下を防ぐことができる。
【００７１】
また、落下防止金具５の一対の平行な垂下面５ｂ，５ｃを上横桟４１の側面４１１ａと上横格子３２の側面３２ａにメタルタッチさせる構成であれば、遊びとなる隙間がないため、一方の垂下面５ｂ側をドリルネジ５１で固定するだけで、強固な拘束力を発揮させることができる。
【００７２】
さらに、上横格子３２，３２が複数の部材が突き合わされた構成となっていて、落下防止金具５によって上横格子３２，３２の突き合わせ部３２０の上側を覆う構造であれば、継目を補強することができる。
【００７３】
また、上横桟４１及び下横桟４２が開口部１１の側面を形成する柱１２の側面１２２に固定された取付金具４３に端部を固定させる構造であれば、上横桟４１及び下横桟４２を容易に開口部１１に架け渡すことができる。
【００７４】
以上、図面を参照して、本発明の実施の形態を詳述してきたが、具体的な構成は、この実施の形態に限らず、本発明の要旨を逸脱しない程度の設計的変更は、本発明に含まれる。
【００７５】
例えば、前記実施の形態では、バルコニーユニット１５のインナーバルコニー１５１の開口部１１に面格子構造２を設ける場合について説明したが、これに限定されるものではなく、在来工法で構築される建物の開口部に対しても、本発明を適用することができる。また、窓などの開口部に対しても、本発明を適用することができる。
【符号の説明】
【００７６】
１              建物
１１            開口部
１２            柱（柱材）
１２２          側面
１５１          インナーバルコニー
２              面格子構造
３              面格子
３１            縦格子
３２            上横格子
３２ａ          側面
３２０          突き合わせ部
３３            下横格子
４１            上横桟
４１１ａ        側面
４２            下横桟
４３            取付金具
５              落下防止金具
５ａ            水平面
５ｂ，５ｃ      垂下面
５１            ドリルネジ（固定部）
【図１】
0006641229.tif 000002
【図２】
0006641229.tif 000003
【図３】
0006641229.tif 000004
【図４】
0006641229.tif 000005
【図５】
0006641229.tif 000006
【図６】
0006641229.tif 000007
【図７】
0006641229.tif 000008
【図８】
0006641229.tif 000009
【図９】
0006641229.tif 000010
【図１０】
0006641229.tif 000011